(57)【要約】エレベータシステムは、昇降路内に第１および第２のかご及びカウンタウエイトを備える。第１の耐荷重アッセンブリは、第１のエレベータかご及び第１のカウンタウエイトを支持し、かつ所定の経路に沿って延在する。該経路は、固定位置に支持された第１の端部から、第１のかごシーブに沿って少なくとも部分的に延び、そこから、第１のエレベータかご及び第１のカウンタウエイトから離間した他のシーブに沿って少なくとも部分的に延び、次いで、第１のカウンタウエイトシーブに沿って少なくとも部分的に延び、さらに、固定位置に支持された第２の端部まで延びている。第２の耐荷重アッセンブリは、第２のエレベータかご及び第２のカウンタウエイトを支持し、かつ所定の経路に沿って延在する。該経路は、固定位置に支持された第１の端部から、２つの第２のかごシーブに沿って少なくとも部分的に延び、そこから、第２のエレベータかご及び第２のカウンタウエイトから離間した他のシーブに沿って少なくとも部分的に延び、次いで、第２のカウンタウエイトシーブに沿って少なくとも部分的に延び、さらに、固定位置に支持された第２の端部まで延びている。
2012525309.tif 000002
【特許請求の範囲】
【請求項１】
昇降路内を移動可能な第１のエレベータかごと、
昇降路内を移動可能な第１のカウンタウエイトと、
第１のエレベータかごの下方に位置し、昇降路内を移動可能な第２のエレベータかごと、
第１のカウンタウエイトの上方に位置し、昇降路内を移動可能な第２のカウンタウエイトと、
第１のエレベータかご及び第１のカウンタウエイトを支持し、かつ所定の経路に沿って延在する第１の耐荷重アッセンブリと、
第１のマシンと、
第２のエレベータかご及び第２のカウンタウエイトを支持し、かつ所定の経路に沿って延在する第２の耐荷重アッセンブリと、
第２のマシンと、
を備え、
第１の耐荷重アッセンブリの前記所定の経路は、固定位置に支持された第１の端部から、第１のカゴと伴に移動する第１のかごシーブに沿って少なくとも部分的に延び、そこから、第１のエレベータかご及び第１のカウンタウエイトから離間した少なくとも１つのシーブに沿って少なくとも部分的に延び、次いで、第２のカウンタウエイトの一方の側を通過して、第１のカウンタウエイトと伴に移動する第１のカウンタウエイトシーブに沿って少なくとも部分的に延び、さらに、第２のカウンタウエイトの他方の側を通過して、固定位置に支持された第２の端部まで延びており、
第１のマシンは、第１の耐荷重アッセンブリが追従する前記経路に沿った１つのシーブに対応し、第１のエレベータかごの位置及び移動を制御すべく、第１の耐荷重アッセンブリの移動を選択的に生じさせ、
第２の耐荷重アッセンブリの前記所定の経路は、固定位置に支持された第１の端部から、第２のカゴと伴に移動する２つの第２のかごシーブに沿って少なくとも部分的に延び、そこから、第２のエレベータかご及び第２のカウンタウエイトから離間したシーブに沿って少なくとも部分的に延び、次いで、第２のカウンタウエイトと伴に移動する第２のカウンタウエイトシーブに沿って少なくとも部分的に延び、さらに、固定位置に支持された第２の端部まで延びており、
第２のマシンは、第２の耐荷重アッセンブリが追従する前記経路に沿った１つのシーブに対応し、第２のエレベータかごの位置及び移動を制御すべく、第２の耐荷重アッセンブリの移動を選択的に生じさせることを特徴とするエレベータシステム。
【請求項２】
第１のマシンは、第１のエレベータかご及び第１のカウンタウエイトから離間した少なくとも１つのシーブに対応し、該少なくとも１つのシーブはトラクションシーブであることを特徴とする請求項１に記載のエレベータシステム。
【請求項３】
第１のマシンは、ガイドレールの頂部付近において支持されることを特徴とする請求項２に記載のエレベータシステム。
【請求項４】
第１のマシンは、第１のエレベータかごの上方でカセット式の構造体により支持されることを特徴とする請求項２に記載のエレベータシステム。
【請求項５】
第２のマシンは、第２のエレベータかご及び第２のカウンタウエイトから離間したシーブに対応することを特徴とする請求項２に記載のエレベータシステム。
【請求項６】
第１および第２のマシンは各ガイドレールの頂部付近において支持されることを特徴とする請求項５に記載のエレベータシステム。
【請求項７】
第１および第２のマシンは、エレベータかご及びカウンタウエイトの上方においてカセット式の構造体により支持されることを特徴とする請求項５に記載のエレベータシステム。
【請求項８】
第１のマシン又は第２のマシンの一方は、ガイドレールの頂部付近において支持され、第１のマシン又は第２のマシンの他方は、エレベータかご及びカウンタウエイトの上方でカセット式の構造体により支持されることを特徴とする請求項５に記載のエレベータシステム。
【請求項９】
２つのガイドレールを備え、該ガイドレールに沿って第１および第２のカウンタウエイトが案内されることを特徴とする請求項１に記載のエレベータシステム。
【請求項１０】
前記２つの第２のかごシーブは、第２のエレベータかごの下部で支持されることを特徴とする請求項１に記載のエレベータシステム。
【請求項１１】
前記２つの第２のかごシーブは、第２のエレベータかごの上部で支持されることを特徴とする請求項１に記載のエレベータシステム。
【発明の詳細な説明】
【技術分野】
【０００１】
本発明は、単一の昇降路内に複数のかごを含むエレベータシステムに関する。
【背景技術】
【０００２】
通常、エレベータシステムは、例えば、異なるビル階の間で乗客をさせるように、昇降路内を移動可能な単一のエレベータかごを備える。特定の状況における特定の要求に対処すべく、種々のエレベータシステムの形態が周知である。ビルのスペースを増加させることなく、エレベータシステムの能力を向上させる一つの例として、単一の昇降路内に２つ以上のエレベータかごを配設することがある。
【０００３】
他の省スペース化の手段として、エレベータ昇降路の上方に通常位置する別個に設けられた機械室を排除することがある。マシンルームレス型のエレベータシステムは、種々の形態で提案されている。
【発明の概要】
【発明が解決しようとする課題】
【０００４】
単一の昇降路内に複数のかごを含むこと又は機械室を排除すること等の手段を用いることにより、コストを削減することができる一方で、最適なシステムの運転に適合させるようにエレベータシステムの構成要素を構成することなどの付加的な問題が生じる。例えば、エレベータかご又はカウンタウエイトの移動を妨げないように、複数のかごを支持するローピングを配置する必要がある。
【課題を解決するための手段】
【０００５】
例示的なエレベータシステムは、昇降路内を移動可能な第１のエレベータかごを備える。また、第１のカウンタウエイトは昇降路内を移動する。第２のエレベータかごは、第１のエレベータかごの下方に位置し、昇降路内を移動可能である。第２のカウンタウエイトは、第１のカウンタウエイトの上方に位置し、昇降路内を移動可能である。第１の耐荷重アッセンブリは、第１のエレベータかご及び第１のカウンタウエイトを支持する。第１の耐荷重アッセンブリは所定の経路に沿って延在する。該経路は、固定位置に支持された第１の端部から、第１のカゴと伴に移動する第１のかごシーブに沿って少なくとも部分的に延び、そこから、第１のエレベータかご及び第１のカウンタウエイトから離間した少なくとも１つのシーブに沿って少なくとも部分的に延び、次いで、第２のカウンタウエイトの一方の側を通過して、第１のカウンタウエイトと伴に移動する第１のカウンタウエイトシーブに沿って少なくとも部分的に延び、さらに、第２のカウンタウエイトの他方の側を通過して、固定位置に支持された第２の端部まで延びている。第１のマシンは、第１の耐荷重アッセンブリが追従する前記経路に沿った１つのシーブに対応する。第１のマシンは、第１のエレベータかごの位置及び移動を制御すべく、第１の耐荷重アッセンブリの移動を選択的に生じさせる。第２の耐荷重アッセンブリは、第２のエレベータかご及び第２のカウンタウエイトを支持する。第２の耐荷重アッセンブリは、所定の経路に沿って延在する。該経路は、固定位置に支持された第１の端部から、第２のカゴと伴に移動する２つの第２のかごシーブに沿って少なくとも部分的に延び、そこから、第２のエレベータかご及び第２のカウンタウエイトから離間したシーブに沿って少なくとも部分的に延び、次いで、第２のカウンタウエイトと伴に移動する第２のカウンタウエイトシーブに沿って少なくとも部分的に延び、さらに、固定位置に支持された第２の端部まで延びている。第２のマシンは、第２の耐荷重アッセンブリが追従する前記経路に沿った１つのシーブに対応する。第２のマシンは、第２のエレベータかごの位置及び移動を制御すべく、第２の耐荷重アッセンブリの移動を選択的に生じさせる。
【０００６】
以下に記載する発明を実施するための形態を参照することにより、本発明の種々の利点及び特徴が当業者に明らかになるであろう。発明を実施するための形態に伴う図面について以下に簡単に説明する。
【図面の簡単な説明】
【０００７】
【図１】例示的なエレベータシステムの一部を示す概略図。
【図２】図１の実施例の一部分の他の構成を示す概略図。
【図３】図１の実施例の一部分の例示的な配置を示す概略図。
【図４】図１の実施例の一部分の例示的な配置を示す概略図。
【図５】図１の実施例の一部分の例示的な配置を示す概略図。
【発明を実施するための形態】
【０００８】
図１にエレベータシステム２０の一部を概略的に図示する。本実施例では、単一の昇降路２２内で移動する複数のエレベータかごが配設される。
【０００９】
第１のエレベータかご２３は、第１のカウンタウエイト２４に対応する。第２のエレベータかご２６は、第２のカウンタウエイト２８に対応する。第１のエレベータかご２３は、第２のエレベータかご２６の上方に位置する。第２のカウンタウエイト２８は、第１のカウンタウエイト２４の上方に位置する。
【００１０】
図示した実施例には、エレベータかご及びカウンタウエイトを支持して単一の昇降路２２内でこれらを移動させる耐荷重部材（例えば、フラットベルト又は丸ロープ）が含まれる。
【００１１】
第１の耐荷重アッセンブリ３０は、第１のエレベータかご２３及び第１のカウンタウエイト２４を支持する。第１の耐荷重アッセンブリ３０は、固定位置にある終端部３４に対応する第１の端部３２を含む経路に沿って延在する。本実施例では、第１の端部３２は、第１のエレベータかご２３よりも高い位置にある。本実施例では、終端部３４は昇降路２２内に位置する。第１の耐荷重アッセンブリ３０が追従する経路は、第１の端部３２から、少なくとも部分的に第１のかごシーブ３６に沿って延在し、該第１のかごシーブ３６は、昇降路２２内で第１のエレベータかご２３とともに移動するように支持されている。次いで、第１の耐荷重アッセンブリ３０は、第１のかごシーブ３６と、第１のエレベータかご２３から離間した少なくとも１つのシーブとの間の経路に沿って延びる。本実施例では、３つの上方シーブ３８，４０，４２が設けられ、全てのシーブが第１のエレベータかご２３の上方に位置している。
【００１２】
第１の耐荷重アッセンブリ３０は、少なくとも部分的に上方シーブ４２に沿って延び、その後、第２のカウンタウエイト２８の一方の側に沿って延在し、次いで、少なくとも部分的に第１のカウンタウエイトシーブ４４に沿って延びる。図示した実施例では、２つのカウンタウエイトシーブ４４が第１の耐荷重アッセンブリ３０の対応する部分を適切に離間させて配設されている。これにより、第２のカウンタウエイト２８又は第１の耐荷重アッセンブリ３０の移動を妨げることなく、上記部分間に第２のカウンタウエイト２８が配設され得る。第１の耐荷重アッセンブリ３０が追従する経路の最終部分は、第１のカウンタウエイトシーブ４４と第１の耐荷重アッセンブリ３０の第２の端部４６との間に亘って延びる。本実施例では、第２の端部４６は、第１のカウンタウエイト２４よりも高い固定位置に設けられた終端部４８に対応する。本実施例では、終端部４８は、昇降路２２内で支持される。
【００１３】
第２の耐荷重アッセンブリ６０は、第２のエレベータかご２６及び第２のカウンタウエイト２８を支持する。第２の耐荷重アッセンブリ６０が追従する経路は、第１の端部６２から始まる。本実施例では、第１の端部６２は終端部６４に対応し、固定位置に位置する。本実施例では、第１の端部６２は、第２のエレベータかご２６より高い位置において固定される。第２の耐荷重アッセンブリ６０の経路は、第１の端部６２から下方に延び、２つのかごシーブ６６に沿って少なくとも部分的に延在する。該かごシーブ６６は、第２のエレベータかご２６とともに移動するように支持されている。図１の実施例では、かごシーブ６６は、第２のエレベータかご２６の下部に位置する吊り下げ（アンダースラング）式の構成となっている。
【００１４】
第２の耐荷重アッセンブリ６０が追従する経路は、かごシーブ６６間に延び、次いで、第２のエレベータかご２６から離間して設けられたシーブ６８まで上方に向かって延びており、この位置では、第２の耐荷重アッセンブリ６０がシーブ６８に沿って少なくとも部分的に延びている。本実施例では、シーブ６８は、第２のカウンタウエイト２８よりも高い位置に配設されている。次いで、経路は、第２のカウンタウエイト２８と伴に移動する第２のカウンタウエイトシーブ７０まで下方に向かって延びており、この位置では、第２の耐荷重アッセンブリ６０が第２のカウンタウエイトシーブ７０に沿って少なくとも部分的に延びている。第２の耐荷重アッセンブリ６０が追従する経路の最終部分は、第２のカウンタウエイトシーブ７０と、終端部７４に対応する第２の端部７２との間に延在する。本実施例では、終端部７４及び第２の端部７２は、昇降路２２内において第２のカウンタウエイト２８より高い固定位置に位置する。
【００１５】
図１の実施例により、双方のエレベータかごに対して２：１ローピングを使用することができ、昇降路２２内のエレベータシステムの構成要素の効率的な配置が可能となる。
【００１６】
第１の耐荷重アッセンブリ３０が少なくとも部分的に延びる少なくとも１つのシーブに、第１のマシン５０が対応している。図１の実施例では、第１のマシン５０は上部シーブ４０に対応する。したがって、本実施例では、上部シーブ４０はトラクションシーブである。第１のマシン５０（例えば、モータ及びブレーキ）は、昇降路２２内における第１のエレベータかご２３の位置および移動を制御すべく、上部シーブ、つまりトラクションシーブ４０の移動を制御する。
【００１７】
第２の耐荷重アッセンブリ６０が少なくとも部分的に延びる少なくとも１つのシーブに、第２のマシン７６が対応している。本実施例では、第２のマシン７６は上部シーブ６８に対応する。したがって、上部シーブ６８はトラクションシーブである。第２のマシン７６（例えば、モータ及びブレーキ）は、昇降路２２内における第２のエレベータかご２６の位置および移動を制御すべく、上部シーブ、つまりトラクションシーブ６８の移動を制御する。図１の実施例は、昇降路２２内にマシン５０，７０を有するマシンルームレス型の構成を示している。
【００１８】
図２は、第２のかごシーブ６６の他の構成を概略的に示している。本実施例では、第２のかごシーブ６６は、第２のエレベータかご２６の上部に位置するオーバスラング式の構成となっている。２つの第２のかごシーブ６６は、第２の耐荷重アッセンブリ６０の部分間の間隔を十分に離間させて保持するために望ましく、これにより、何らの障害もなく第１のエレベータかご２３が上記部分間を移動することができる。
【００１９】
昇降路２２に対して第１のマシン５０及び第２のマシン７６を支持す種々の方法が存在する。一実施例では、少なくとも１つのマシンがカセット式の構造体（カセット式構造体）により支持される。そのような一例を図３に示す。図では、第１のマシン５０はカセット式構造体８０に支持されており、該カセット式構造体８０は、昇降路２２の壁部に対応する面８２によって少なくとも部分的に支持されている。一実施例では、カセット式構造体８０は、予め組み立てられた後に昇降路２２の設置位置へと運ばれるメタルビームからなる。カセット式構造体８０により、第１のマシン５０が昇降路２２内に位置するマシンルームレス式の構造が実現可能となる。図から分かるように、カセット式構造体８０は、第１のマシン５０、トラクションシーブ４０、上部シーブ３８，４２及び終端部３４，４８を支持する。
【００２０】
図４は、他のカセット式構造体８０を概略的に図示する。本実施例では、第１のマシン５０、トラクションシーブ４０及び終端部３４，４８は、全てカセット式構造体８０により支持される。同一のカセット式構造体８０によって、第２のマシン７６、トラクションシーブ６８、終端部６４，７４が支持される。図４の実施例では、双方のマシンが昇降路２２の制限範囲内に好適に位置するカセット式構造により支持される。
【００２１】
図５は、少なくとも１つのマシンが昇降路２２内のガイドレールの頂部付近に支持される構成を概略的に図示する。図５の実施例では、１つのカウンタウエイトガイドレール９０が第２のマシン７６を支持する。双方のマシン５０，７６を昇降路２２内の１つのガイドレールの頂部付近に支持してもよい。また、一方のマシンをカセット式構造により支持し、他方のマシンをガイドレール上に支持してもよい。
【００２２】
図５に示す実施例の他の特徴は、双方のカウンタウエイト２４，２８が一組のカウンタウエイトガイドレール９０を共有することである。これにより、材料、設置及びスペースにおける効率が向上する。
【００２３】
一実施例では、マシンルームとして使用されていたスペースは、第２のエレベータかご２６が上方の乗場に対してサービスを行う際に、第１のエレベータかご２３が停止するスペースとして使用され得る。マシン５０，７６及び１つまたは複数の終端部は、マシンルームとして使用されてきたスペース内に位置し得る。
【００２４】
図示した実施例により、単一の昇降路内において２つのエレベータかごを作動させるエレベータシステムの構成要素の独自の配置が可能となる。
【００２５】
前述の説明は例示的なものに過ぎず、限定的なものではない。当業者であれば、本発明の本質を逸脱することなく、開示された実施例に対して種々の変更や修正がなされることを理解されるであろう。したがって、以下の特許請求の範囲を検討することにより、本発明に付与される法的保護の範囲を検討されたい
【図１】
2012525309.tif 000003
【図２】
2012525309.tif 000004
【図３】
2012525309.tif 000005
【図４】
2012525309.tif 000006
【図５】
2012525309.tif 000007
【国際調査報告】
2012525309.tif 000008
2012525309.tif 000009